(57)【要約】【課題】巻き取られた線材を容易に取り外しうる回転ドラム２の提供。【解決手段】この回転ドラム２は、長尺の線材が巻かれる巻取部１０を備える。この巻取部１０は、この巻取部１０の外周に沿って配置される複数のセグメント１６と、これらのセグメント１６の内側に位置している伸縮部材２６と、このセグメント１６を内向きに引っ張る弾性部材とを備える。この伸縮部材２６は、この弾性部材の引張力に抗して、このセグメント１６を外向きに動かしうる。好ましくは、この回転ドラムでは、上記巻取部１０は、上記セグメント１６が軸支されるヒンジ３４をさらに備える。この回転ドラム２では、巻取部１０に巻き取られた線材の取り外しは容易である。この回転ドラム２の部品点数は、少ない。この回転ドラム２の形は、小さい。この回転ドラム２は、軽量でしかも安価である。【選択図】図１
2008143694.tif 000002
【特許請求の範囲】
【請求項１】
長尺の線材が巻かれる巻取部を備えており、
この巻取部が、この巻取部の外周に沿って配置される複数のセグメントと、これらのセグメントの内側に位置している伸縮部材と、このセグメントを内向きに引っ張る弾性部材とを備えており、
この伸縮部材が、この弾性部材の引張力に抗して、このセグメントを外向きに動かしうる回転ドラム。
【請求項２】
上記巻取部が、上記セグメントが軸支されるヒンジをさらに備えている請求項１に記載の回転ドラム。
【発明の詳細な説明】
【技術分野】
【０００１】
本発明は、回転ドラムに関する。詳細には、タイヤに用いられるコードのような長尺の線材が巻き取られる回転ドラムに関する。
【背景技術】
【０００２】
タイヤは、グリーンタイヤから得られる。このグリーンタイヤは、多数のゴム部材が積層されて得られる。この工程は、成形工程と称される。ゴム部材の具体例としては、インナーライナー、カーカスプライ、サイドウォール用ゴムシート、ベルトプライ、トレッド用ゴムシート等が挙げられる。
【０００３】
カーカスプライ及びベルトプライのようなゴム部材は、多数のコードとトッピングゴムとからなる。このコードの材質としては、スチール及び有機繊維が例示される。このコードは、多数のフィラメントが撚り合わされて形成される。このコードは、回転ドラムに巻き取られて、次工程に供給される。この回転ドラムは、巻取部と、この巻取部を支持する主軸を備えている。この巻取部は、この主軸を中心にして回転しつつ、コードを巻き取る。この巻取部からコードが容易に取り外されうるように、この回転ドラムはこの巻取部を縮径しうる機能を備えている。このような機能を有するドラムが、特開平５−１０４１４２号公報及び特開２００４−３１４３５７公報に開示されている。
【特許文献１】特開平５−１０４１４２号公報
【特許文献２】特開２００４−３１４３５７公報
【発明の開示】
【発明が解決しようとする課題】
【０００４】
巻取部が縮径しうる回転ドラムには、この巻取部の外径が所定の比率で変化しうるように、通常リンク機構が設けられる。このリンク機構は複雑なので、この回転ドラムに含まれる部品点数は多い。この回転ドラムは、大きな形及び質量を有する。この回転ドラムの生産コストは、高い。この回転ドラムでは、このリンク機構を作動させるために、主軸に特殊な孔加工が施される。この孔加工は、この回転ドラムの製作に要する期間に影響を与える。
【０００５】
本発明の目的は、巻き取られた線材を容易に取り外しうる回転ドラムの提供にある。
【課題を解決するための手段】
【０００６】
本発明に係る回転ドラムは、長尺の線材が巻かれる巻取部を備えている。この巻取部は、この巻取部の外周に沿って配置される複数のセグメントと、これらのセグメントの内側に位置している伸縮部材と、このセグメントを内向きに引っ張る弾性部材とを備えている。この伸縮部材は、この弾性部材の引張力に抗して、このセグメントを外向きに動かしうる。
【０００７】
好ましくは、この回転ドラムでは、上記巻取部は、上記セグメントが軸支されるヒンジをさらに備えている。
【発明の効果】
【０００８】
この回転ドラムでは、伸縮部材により、弾性部材の引張力に抗してセグメントが外向きに動かされた状態で、線材が巻き取られる。所定長さの線材が巻取部に巻かれた後、この弾性部材の引張力で、このセグメントは内向きに動かされうる。これにより、巻取部と線材との間に隙間が形成される。この隙間の形成により、コードは弛む。従って、この回転ドラムでは、巻取部に巻き取られた線材の取り外しは容易である。この回転ドラムには、多くの部品点数を有する複雑なリンク機構が設けられる必要はない。従って、この回転ドラムに、複雑な加工が施される必要もない。この回転ドラムの部品点数は、少ない。この回転ドラムの形は、小さい。このような回転ドラムは、軽量でしかも安価である。
【発明を実施するための最良の形態】
【０００９】
以下、適宜図面が参照されつつ、好ましい実施形態に基づいて本発明が詳細に説明される。
【００１０】
図１は、本発明の一実施形態に係る回転ドラム２が示された側面図である。図２は、図１の回転ドラム２の一部が示された正面図である。この回転ドラム２は、台座４と、２の軸受６と、主軸８と、巻取部１０とを備えている。これらの軸受６は、この台座４に固定されており、この主軸８の一方の側を片持ちで支持している。この主軸８の他方の側に、この巻取部１０が設けられている。図１中、一点鎖線ＣＬはこの主軸８の回転軸を表している。
【００１１】
主軸８は、回転軸ＣＬを中心にして回転しうる。図１に示されているように、この主軸８はチューブ１２を備えている。この回転ドラム２では、この主軸８の一方の端面に開口部１４が設けられている。このチューブ１２は、この開口部１４からこの主軸８の内部に通されて巻取部１０まで配されている。
【００１２】
巻取部１０は、略円筒状である。この巻取部１０は、複数のセグメント１６と、第一の支持部１８と、第二の支持部２０とを備えている。セグメント１６は、その断面が湾曲状とされたプレートである。図２に示されているように、この回転ドラム２は４枚のセグメント１６を有している。これらのセグメント１６は、この巻取部１０の外周に沿って配置されている。この回転ドラム２では、４枚のセグメント１６のうち、２枚のセグメント１６ａは、上下方向に主軸８を挟んで互いに向き合うように配置されている。残りの２枚のセグメント１６ｂは、左右方向に主軸８を挟んで互いに向き合うように配置されている。
【００１３】
第一の支持部１８は、主軸８の他方の端２２の側に位置している。この第一の支持部１８は、セグメント１６の内側に位置している。この第一の支持部１８は、支持プレート２４と、２の伸縮部材２６とを備えている。この支持プレート２４は、この主軸８に固定されている。この主軸８は、この支持プレート２４の中心に位置している。換言すれば、この第一の支持部１８はこの主軸８に固定されている。この図２において、これらの伸縮部材２６は、この主軸８の左右両側に位置している。前述したように、この第一の支持部１８はセグメント１６の内側にあるので、これらの伸縮部材２６もセグメント１６の内側に位置している。これらの伸縮部材２６は、同一である。これらの伸縮部材２６は、その上下が反対になるようにこの支持プレート２４に取り付けられている。この伸縮部材２６は、単動型シリンダーである。この伸縮部材２６は、シリンダー２８と、ピストン３０とを備えている。このシリンダー２８は、この支持プレート２４に固定される。このピストン３０は、このシリンダー２８に挿入される。
【００１４】
第二の支持部２０は、巻取部１０の、軸受６の側に位置している。この第二の支持部２０は、セグメント１６の内側に位置している。この第二の支持部２０は、支持プレート３２と、一対のヒンジ３４とを備えている。この支持プレート３２は、円盤状である。この支持プレート３２は、主軸８に固定されている。この主軸８は、この支持プレート３２の中心に位置している。換言すれば、この第二の支持部２０は、この主軸８に固定されている。ヒンジ３４は、この支持プレート３２に固定されている。なお、この第二の支持部２０には、第一の支持部１８のように伸縮部材２６は設けられていない。この第二の支持部２０に、この伸縮部材２６が設けられてもよい。
【００１５】
図２に示されているように、この回転ドラム２では、主軸８の上下に位置する２枚のセグメント１６ａは、この第一の支持部１８のピストン３０にそれぞれ固定されている。この第一の支持部１８は、この２枚のセグメント１６ａを支持している。この回転ドラム２では、左右方向において主軸８の両側に位置する２枚のセグメント１６ｂは、支持プレート２４に固定されている。
【００１６】
この回転ドラム２では、セグメント１６ａは、その軸受６の側の端において、第二の支持部２０のヒンジ３４に取り付けられている。このセグメント１６ａは、このヒンジ３４に軸支されている。セグメント１６ｂは、支持プレート３２に固定されている。
【００１７】
この回転ドラム２では、第一の支持部１８はセグメント１６を支持しつつ、主軸８に固定されている。第二の支持部２０も、セグメント１６を支持しつつ、主軸８に固定されている。この回転ドラム２では、巻取部１０はこの主軸８に固定されている。前述したように、この主軸８は回転軸ＣＬを中心に回転しうる。従って、この巻取部１０は、この主軸８を中心にして回転しうる。
【００１８】
この回転ドラム２では、主軸８の開口部１４を通じて配されたチューブ１２は、巻取部１０の内部において、２のチューブ１２に分岐されている。この２のチューブ１２は、第一の支持部１８にある伸縮部材２６のシリンダー２８に接続されている。従って、圧力の調節された空気は、このチューブ１２を通じてそれぞれのシリンダー２８に供給される。
【００１９】
図示されていないが、この回転ドラム２では、伸縮部材２６に弾性部材としてのスプリングがさらに設けられている。このスプリングは、ピストン３０とシリンダー２８とを連結している。この伸縮部材２６において、このスプリングはこのピストン３０をシリンダー２８の内部に引き込むように作用する。前述したように、この回転ドラム２では、このピストン３０はセグメント１６ａに取り付けられている。従って、このスプリングは、セグメント１６ａを内向きに引っ張っている。なお、この伸縮部材２６と弾性部材とが、別個独立にこの回転ドラム２に設けられてもよい。
【００２０】
この回転ドラム２では、この伸縮部材２６のシリンダー２８に空気が導入されて、シリンダー２８内の圧力が高められると、ピストン３０はスプリングの引張力に抗してこのシリンダー２８の外部に押し出される。逆に、このシリンダー２８内の空気が排出されて、シリンダー２８内の圧力が大気圧になると、スプリングの引張力により、ピストン３０はシリンダー２８の内部に引き込まれる。この回転ドラム２では、このピストン３０はこのシリンダー２８に対して動きうる。
【００２１】
この回転ドラム２は、次のようにして用いられる。まず、コンプレッサーが用いられて圧力が調整された空気が、チューブ１２を通じてシリンダー２８に供給される。この空気の圧力により、ピストン３０がスプリングの引張力に抗してシリンダー２８に対して動く。これにより、このピストン３０が取り付けられているセグメント１６ａは、この巻取部１０の半径方向外側に向かって動く。換言すれば、この伸縮部材２６は、スプリングの力に抗してセグメント１６ａを外向きに動かしうる。この回転ドラム２では、このセグメント１６ａは図２に示された状態で保持される。この図２には、この巻取部１０の拡径状態が示されている。このセグメント１６の外面は、円弧状に湾曲している。この回転ドラム２は、この拡径状態において、セグメント１６の外面が同一円周上に位置するように構成されている。
【００２２】
次に、主軸８が、モーター等の回転機（図示されず）により回転させられる。この主軸８の回転により、巻取部１０がこの主軸８を中心にして回転する。フィラメントが撚り合わされて形成されたコードは、この拡径状態にある巻取部１０に巻かれる。この回転ドラム２では、この巻取部１０は回転しつつ、コードを巻き取る。このコードが所定長さこの巻取部１０に巻き取られると、回転機が止められる。巻取部１０の回転が止まると、シリンダー２８に供給されている空気が、排出される。この排出により、伸縮部材２６に設けられるスプリングの引張力で、ピストン３０がシリンダー２８内に引き込まれる。
【００２３】
図３は、伸縮部材２６のピストン３０がシリンダー２８内に引き込まれている状態が示された正面図である。前述したように、シリンダー２８内の空気が排出されると、スプリングの引張力により、ピストン３０はシリンダー２８の内部に引き込まれる。従って、このピストン３０に取り付けられているセグメント１６ａはこのスプリングの引張力により主軸８に向かって動く。これにより、このセグメント１６ａと主軸８との間の距離が縮みうる。換言すれば、この回転ドラム２では、第一の支持部１８に設けられている２のピストン３０の動きにより、これらのピストン３０に取り付けられている２枚のセグメント１６ａの間の距離が縮みうる。この図３には、巻取部１０の縮径状態が示されている。
【００２４】
前述したように、この回転ドラム２では、セグメント１６ａは第二の支持部２０のヒンジ３４に軸支されている。従って、縮径状態にある巻取部１０では、図１において二点鎖線で示されているように、このセグメント１６ａの外面がこの主軸８の他方の側に向かって先細りとなるように、このセグメント１６ａは配置される。
【００２５】
図示されていないが、この回転ドラム２では、縮径状態にある巻取部１０では、この巻取部１０のセグメント１６ａの外面と、この巻取部１０に巻かれているコードとの間に隙間が形成される。この隙間の形成によりコードは弛むので、この巻取部１０に巻かれているコードが容易に取り外されうる。
【００２６】
この回転ドラム２では、巻取部１０の縮径及び拡径が２の伸縮部材２６によりなされる。この回転ドラム２には、巻取部１０が縮径及び拡径されうるために、多くの部品点数を有する複雑なリンク機構が設けられる必要はない。従って、この回転ドラム２に設けられる主軸８に、複雑な孔加工が施される必要もない。この回転ドラム２の部品点数は、少ない。この回転ドラム２の形は、小さい。この回転ドラム２は、軽量でしかも安価である。
【産業上の利用可能性】
【００２７】
本発明に係る回転ドラムは、種々のタイヤ構成部材を巻き取るために適用されうる。
【図面の簡単な説明】
【００２８】
【図１】図１は、本発明の一実施形態に係る回転ドラムが示された側面図である。
【図２】図２は、図１の回転ドラムの一部が示された正面図である。
【図３】図３は、伸縮部材のピストンがシリンダー内に引き込まれている状態が示された正面図である。
【符号の説明】
【００２９】
２・・・回転ドラム
４・・・台座
６・・・軸受
８・・・主軸
１０・・・巻取部
１２・・・チューブ
１４・・・開口部
１６、１６ａ、１６ｂ・・・セグメント
１８・・・第一の支持部
２０・・・第二の支持部
２２・・・端
２４、３２・・・支持プレート
２６・・・伸縮部材
２８・・・シリンダー
３０・・・ピストン
３４・・・ヒンジ
【図１】
2008143694.tif 000003
【図２】
2008143694.tif 000004
【図３】
2008143694.tif 000005